(57)【要約】【課題】放送波を用いて、テレビ機器を通信回線に接続することなく、通話を伴うプッシュ型情報通信システムを実現する。【解決手段】不特定多数が利用する公衆電話回線および放送を受信するテレビにおいて、二人の通話者が使用するテレビおよびクライアントが、排他的に使用するヘッダ情報を共有する。使用するチャンネルが電話音声によって両者で確認される。通話者の一方は、会話の流れに沿って送信したい任意の情報を選択して送信し、その任意の情報に前記ヘッダ情報が付加されて放送波に乗せて送出される。放送波を受信したテレビは、ヘッダ情報に基づいて通話先が送出した情報のみを抽出して自動的に画面表示する。これにより、他方がテレビの操作をすることなく、視聴覚情報を伴いながら電話で通話することが可能になる。【選択図】図１
2013085205.tif 000002
【特許請求の範囲】
【請求項１】
不特定多数が利用する公衆電話回線と放送を受信するテレビを併用し、通話する者の一方が任意のタイミングに任意に選択して送出した情報が、放送波を介して他方の通話者が視聴するテレビにおいて受信され、前記通話する者の一方が送出した情報のみが抽出されて自動的に画面表示されることにより、視聴覚情報を伴いながら通話することが可能になるシステム。
【発明の詳細な説明】
【技術分野】
【０００１】  本発明は、電話機、通信回線に接続されたコンピュータとテレビを併用した、通話を伴うプッシュ型情報通信システムに関する。
【背景技術】
【０００２】  まもなくテレビがスマートテレビとして高度な機能を付加することが可能になることが想定されている。
電話機と通信回線に接続されたコンピュータを同時一体的に利用した、通話を伴うプッシュ型情報通信を実現するシステムは、特許第４６４８９０６号として平成２２年１２月１７日付けで登録されている。この特許においては、不特定多数が利用する通信回線と電話回線の中で、通話者が用いる電話機と端末の一対一関係を特定し、電話機による通話と通信回線による視聴覚情報を併用することにより、通話を伴うプッシュ型情報通信システムを実現している。
この通話を伴うプッシュ型情報通信システムでは、一方の通話者がコンピュータ端末操作をできない高齢者でも、その通話先が任意に送出した情報が自動的に端末上に表示されることで、視覚情報を得ながら通話するという便益が提供される。
テレビがデジタル化、大型化、高精細化した現在、テレビ機器を情報端末として活用することにより、高精細大画面の視覚情報を併用する通話は、通信販売のみならず様々な新しい用途を生み出すとともに、従来はインターネットの恩恵を受けられていなかった高齢者にも簡単に使え、多くの便益を提供することが期待できる。
【発明の開示】
【発明が解決しようとする課題】
【０００３】  通話中に、通話先が送信した情報のみが自動的にテレビ画面に表示されれば、パソコン操作ができない者でも視覚情報を伴う通話という新しいコミュニケーション方法の便益を享受できる。
その場合、公衆電話回線、通信回線、放送波という不特定多数が利用する、それぞれが独立したネットワークにおいて、電話回線を接続している者が使用するテレビとコンピュータ機器の間において、一方から送信された情報のみが他方において選択的に受信されなければならない。
高齢者を含め誰でもが使えるという視点からは、新たな機器の購入、接続や初期設定が不要で、通常使用するテレビと電話機をそのまま使って利用できるという点が重要である。
本発明は、その際の選択的な情報の受送信方法を発明し、通話を伴うプッシュ型情報通信を実現するものである。
【課題を解決するための手段】
【０００４】  以下、本明細書における用語の定義は以下のとおりとする。
電話回線は、公衆回線で接続された固定電話、携帯電話などの電話サービスやプロバイダーが提供するＩＰ電話サービスの他、スカイプなど広義のインターネット電話も含む。電話機は、前記電話サービスを行う際の端末となるものを指し、マイクとスピーカーを備えたコンピュータやモバイル端末なども含む。
電話回線と通信回線は、別々でも同一のネットワークでも構わない。
放送波は、地上波、ＢＳ、ＣＳ、ＣＡＴＶ、その他のアナログ、デジタルのいずれの放送波であってもよい。主にはデータ放送を想定している。【０００５】  本発明では、同時並行的に多数の通話者が通話を伴うプッシュ型情報通信を利用している状況下で、〔図１〕の任意の通話者Ａと通話者Ｂが通話している場合において、通話者Ｂが３１クライアントから送出した視聴覚情報が通話者Ａの視聴している１１テレビに自動的に表示される。
〔図１〕中では、１１テレビ、２３放送設備、２１サーバ、３１クライアントは各一つずつしか表示されていないが、実際には〔図２〕のように各テレビ、放送設備（チャンネル）とサーバ、クライアントは多数存在し、それぞれが独立して運用されている状況を前提としている。
その多数の中で、電話回線が接続された任意の１０電話機と３０電話機において、通話者Ｂが３１クライアントから送出した情報が通話者Ａの視聴する１１テレビのみに選択的に表示されなければならない。更に、パソコン操作ができない高齢者でも利用可能とするには、利用する前にテレビに何らかの初期設定をする必要がないことが望まれる。
２３放送設備は、通話を伴うプッシュ型情報通信を行う不特定多数の利用者を対象に、多彩な情報を放送波に乗せて送出している。１１テレビは、２３放送設備が送出する多くの情報の中から通話者Ｂが送出した情報のみを抽出し、表示する。２３放送設備は、通常はデータ放送として情報を送出することが想定されるが、１１テレビが受信できれば方法は任意である。
１１テレビが、２３放送設備が送出する多数の情報の中から、通話者Ａの通話先である通話者Ｂが使用する３１クライアントの送出した情報のみを選択的に取得するためには、２３放送設備は送出情報に何らかのヘッダ情報（以下、単にヘッダと言う。）を付加し、１１テレビはそのヘッダに基づいて、３１クライアントが送出した情報のみを選択する。
従って本発明は、▲１▼３１クライアントがヘッダを取得し、２１サーバにヘッダを送信するプロセスと、▲２▼３１クライアントが送出した情報が２１サーバを介してヘッダを付加されて２３放送設備に送信され、放送波に乗せて送出されるプロセスと、▲３▼１１テレビにおいて通話者Ｂが送出した情報のみが選択されて自動的に画面表示されるプロセスで構成される。【０００６】  １１テレビと１０電話機は、通常は独立した機器であり、両者を接続する１２通信回線もない。
▲１▼３１クライアントがヘッダを取得し、２１サーバにヘッダを送信するプロセスには、幾つかの方法が考えられるが、基本は、１１テレビと３１クライアントが同一ヘッダを共有し、不特定多数の情報を中継する２１サーバにおいて当該ヘッダが他の利用者が使用するヘッダと異なり視聴するチャンネルで排他的に使用されるヘッダであることが確認されることである。
一つ目の方法は、通話者Ａが初期設定として１１テレビに１０通話機の電話番号を登録し、３０電話機は発信者電話番号として取得した電話番号情報をヘッダとして３１クライアントを介して２１サーバに送信する方法がある。
電話番号は機器固有のものであるため、１１テレビには複数の電話番号を登録しておいても、１１テレビは２３放送設備が送出した情報の中から登録された中の任意の電話機の通話先の３１クライアントの情報を選択的に抽出できる。
１１テレビに登録する情報を電話番号ではなく任意のコードとし、当該登録したコードを１０電話機から音声で通話者Ｂに伝え、あるいはプッシュボタン操作で３０電話機に伝えるようにしても良い。
二つ目の方法は、２１サーバが２３放送設備を介して送出し、１１テレビに表示された単数ないし複数の固有コード候補の中から、通話者Ａが選択して、テレビのボタン操作で選択情報を１１テレビにおいて特定し、同一情報を音声で通話者Ｂに伝えて通話者Ｂが３１クライアントに入力し、ないしは１０電話機のボタン操作で３０電話機に伝え、ＣＴＩ（ｃｏｍｐｕｔｅｒ  ｔｅｌｅｐｈｏｎｙ  ｉｎｔｅｇｒａｔｉｏｎ）によって３１クライアントに伝わり、それが２１サーバに送信されて、同一コードが他に利用されていないことが確認され、ヘッダが確定する。
この場合、２３放送設備が送出する固有コード候補の情報は、数字の他、熊やリンゴその他の絵として音声で伝えさせるようにしても良い。
三つ目の方法は、１１テレビが自動的に固有コードを決定して表示し、それを通話者Ａが音声ないしプッシュボタン操作で通話者Ｂないし３０電話機に伝え、３１クライアントから２１サーバに送信する方法である。
この場合、２１サーバで同時刻に同一コードをヘッダとして利用する者が複数いると判明した場合は、それらの者が利用する１１テレビに別のコードを選択する旨の情報を送出し、それぞれに固有のヘッダを選択させるようにする。
このように、ヘッダの決定に当っては、通話者Ａが１１テレビに入力して決定する方法、２３放送設備が送出した情報の中からテレビリモコン操作で選択する方法、テレビが自動的に決定する方法などがあり、それらを組み合わせた方法でも良い。例えば、２３放送設備が送出した情報の中から選択したコードに電話番号の下４桁を付加したものをヘッダとしても良い。
二つ目、三つ目の方法は、テレビの初期設定が不要である。もし複数の利用者が同時刻に同一ヘッダを選択したことが２１サーバで確認された場合は、その情報が３１クライアントに伝えられ、同一ヘッダを選択した利用者に別の複数の固有コードが送信され、同様の過程を繰り返して排他的に利用するヘッダを確定する。
尚、１１テレビと１０電話機を接続する１２通信回線がある場合は、２１サーバから送出された複数のヘッダ候補が１１テレビにおいて自動的に選択され、それが１４電話回線、３２、３３通信回線を介して自動的に２１サーバに送信され、２１サーバにおいて排他的に使用されていることが確認され、あるいは前記の過程が複数回繰り返して排他的に使用されていることが確認され、ヘッダが決定されるようにしても良い。
以上によって、１１テレビが同一チャンネルにおいて排他的に利用するヘッダが決定され、その情報が３１クライアントおよび２１サーバにおいて共有され、２１サーバにおいて排他的であることが確認される。２１サーバにおいては、当該排他的に使用されるヘッダと３１クライアントのＩＰアドレスが紐付けられ、３１クライアントの送出した情報のみに前記排他的に使用されるヘッダが付加される。【０００７】  ▲２▼３１クライアントが送出した情報が２１サーバを介してヘッダを付加されて２３放送設備に送信され、放送波に乗せて送出されるプロセスは、以下のとおりである。
通話者Ｂは、情報送信に用いるチャンネル名を音声で通話者Ａに伝え、通話者Ａはテレビのリモコン操作でそのチャンネルを選択する。
または通話者Ａが視聴しているチャンネル名を音声で通話者Ｂに伝え、通話者Ｂは前記チャンネルの放送設備に情報を送信する２１サーバを選択する。この操作は、▲１▼の操作と並行して行われる。この場合の２１サーバの選択において、通話者Ｂは任意のサーバ２１を選択して３１クライアントを接続し、当該２１サーバに対し、通話者Ａが視聴している２３放送設備に情報を送信するように指定することも可能であるが、その場合は、当該２３放送設備に付属するサーバにおいて、ヘッダの排他性が確認されている必要がある。
２１サーバでは、３１クライアントから先に送信されたヘッダと、３１クライアントのＩＰアドレスが紐付けられる。
通話者Ａと通話者Ｂは、電話で会話している。その会話の流れに沿って、通話者Ｂは通話者Ａが求める情報を推測して特定し、あるいは通話者Ｂが通話者Ａに伝達したい情報を決定し、３１クライアントから２１サーバに送出する。
２１サーバは、３１クライアントから受信した情報に先に取得したヘッダを付加して２３放送設備に送信し、２３放送設備は更に送出された情報がプッシュ型情報通信用の情報であることを示すヘッダを付加して１３放送波に乗せて送出する。【０００８】  ▲３▼１１テレビにおいて通話者Ｂが送出した情報のみが選択されて自動的に画面表示されるプロセスは、以下のとおりである。
２３放送設備からは、同放送設備のチャンネルをプッシュ型情報通信に利用する多数の者の送信情報が１３放送波に乗せて送出される。
１１テレビは、受信した情報がプッシュ型情報通信用の情報である場合に、その中から排他的に使用しているヘッダの付加された情報のみを抽出し、それまで表示していた画面に代えて、当該情報を画面表示し、また聴覚情報として流す。
１０電話機と３０電話機間の通話が終了すると、その終了の旨の情報が２１サーバ、２３放送設備を介して１１テレビに送信され、プッシュ型情報通信が終了する。
この動作は、一定時間で自動的に終了するものとして、その時間内に３１クライアントが継続要求情報を送信することで継続させるようにしても良い。
【発明の効果】
【０００９】  以上により、通話者Ａは、不特定多数の中の任意の相手と、テレビを通信回線に接続することも特別な機器を購入することなく、煩わしい初期設定も必要なく、既存の固定電話ないし携帯電話を用いて、通話を伴うプッシュ型情報通信を行うことが可能になる。
通常のテレビ放送を視聴中に、画面表示された番号に電話を掛けてプッシュ型情報通信に移行するような、テレビ放送と連動した『通話を伴うプッシュ型情報通信』も可能になる。
【図面の簡単な説明】
【００１０】
【図１】本発明の機器の基本となる構成
【図２】不特定多数の電話機、テレビ、クライアントと複数のサーバ、放送設備がある環境を示すイメージ図
【符号の説明】
【００１１】１０、３０：電話機、１１：テレビ、３１：クライアント（コンピュータ端末）
２１：プッシュ型情報通信に用いるサーバ、２３：放送設備、２２、３２、３３：通信回線  １４：電話回線、１２：テレビと電話機を接続する通信回線（原則的には必要ない。）
【図１】
2013085205.tif 000003
【図２】
2013085205.tif 000004